【手続補正書】
【提出日】平成16年5月10日(2004.5.10)
【手続補正１】
【補正対象書類名】明細書
【補正対象項目名】全文
【補正方法】変更
【補正の内容】
【書類名】      明細書
【発明の名称】    遊技機用基板ボックス
【特許請求の範囲】
【請求項１】  遊技機の制御部品を搭載した回路基板を収容するために１面が開放されたボックスベースと、そのボックスベースの開放部分に覆設され、そのボックスベースとともに前記回路基板を被包するボックスカバーとを備えた遊技機用基板ボックスにおいて、
前記ボックスベース又はボックスカバーの一方における１の縁部に略凹状に設けられる挿嵌凹部と、
その挿嵌凹部に対向して前記ボックスベース又はボックスカバーの他方における１の縁部に略凸状に設けられると共に、その挿嵌凹部に所定長さ挿嵌される挿嵌凸部とを備えていることを特徴とする遊技機用基板ボックス。
【請求項２】  前記挿嵌凹部は前記ボックスベース又はボックスカバーの一方における縁部全周に設けられ、前記挿嵌凸部は前記ボックスベース又はボックスカバーの他方における縁部全周に立設されていることを特徴とする請求項１記載の遊技機用基板ボックス。
【請求項３】  前記挿嵌凹部または挿嵌凸部は前記ボックスカバーにおける１の縁部に設けられており、その挿嵌凹部または挿嵌凸部の端面は、前記ボックスベースに収容される前記回路基板と当接され、その回路基板を前記ボックスベースとともに挟持するように構成されていることを特徴とする請求項１又は２に記載の遊技機用基板ボックス。
【請求項４】  前記ボックスカバーを前記ボックスベースに連結して止着する止着部材を備え、その止着部材は、前記挿嵌凹部または挿嵌凸部の端面と当接される前記回路基板を前記ボックスカバーと共に前記ボックスベースに一括して止着するものであることを特徴とする請求項３記載の遊技機用基板ボックス。
【請求項５】  前記挿嵌凹部の内面には、その挿嵌凹部の幅を前記挿嵌凸部の挿嵌方向へ漸減させる勾配面が設けられていることを特徴とする請求項１から４のいずれかに記載の遊技機用基板ボックス。
【請求項６】  前記挿嵌凸部における前記勾配面との対向面は、その勾配面の傾斜方向と同方向に傾斜され、その挿嵌凸部が前記挿嵌凹部に挿嵌される場合に前記勾配面と当接可能に形成されていることを特徴とする請求項５記載の遊技機用基板ボックス。
【請求項７】  前記挿嵌凸部が前記挿嵌凹部に挿嵌される場合に、その挿嵌凹部と前記挿嵌凸部の合わせ目は合决り又は実矧ぎ状に接合されていることを特徴とする請求項１から６のいずれかに記載の遊技機用基板ボックス。
【発明の詳細な説明】
【０００１】
【発明の属する技術分野】  本発明は遊技機の制御部品を搭載した回路基板を被包する遊技機用基板ボックスに関し、特に、ボックスベース及びボックスカバーのこじ開けを防止して、回路基板への不正行為を防ぐことができる遊技機用基板ボックスに関するものである。
【０００２】
【従来の技術】  近年、パチンコ機などの遊技機は、その遊技盤に設けられる入賞装置および表示装置等を制御して、遊技の興趣を盛り上げるものが主流となっている。この入賞装置および表示装置の制御は、ＩＣ，ＬＳＩ等の多数の電子部品を搭載したロジック回路基板、又は、マイクロコンピュータを有する回路基板により行われる。これらの回路基板はボックスベースおよびボックスカバーを備えた基板ボックスに被包されており、この基板ボックスのボックスベース及びボックスカバーの一部分は、特殊な封印ねじにより接合され封印されている。
【０００３】
この封印に用いられる封印ねじは、その頭部にねじ回し工具の先端がねじ込み方向にのみ係合される十字溝が形成されている。よって、この十字溝にねじ回し工具が係合され反ねじ込み方向へ回転されると、ねじ回し工具が空回りされて封印ねじの抜き取りが防止されるのである。従って、かかる封印ねじで基板ボックスを封印することによって、基板ボックスの開封が防止されるので、基板ボックスに被包された回路基板への接触行為や、その回路基板からＲＯＭを取り外して交換し遊技内容を変更する不正行為が防止される。
【０００４】
【発明が解決しようとする課題】  しかしながら、上記の基板ボックスでは、封印ねじによってボックスベース及びボックスカバーの一部分のみが接合されるとともに、ボックスベース及びボックスカバーの合わせ目（当接面）は略平面状にそれぞれ形成されている。このため、ボックスベース及びボックスカバーの合わせ目を押して撓ませたり、その合わせ目に薄板状の工具等を差し込むことにより、ボックスベース及びボックスカバーの合わせ目に隙間が開けられ、基板ボックスがこじ開けられてしまうという問題点があった。
【０００５】
このように基板ボックスがこじ開けられると、ボックスベース及びボックスカバーの合わせ目に生じる隙間から薄板状の工具等を差し込むことができるので、その薄板状の工具や針金等の先端部分で回路基板の回路パターンなどの信号線が削られ切断されて、遊技内容が不正に変更されてしまうという問題点があった。
【０００６】
本発明は上述した問題点を解決するためになされたものであり、ボックスベース及びボックスカバーのこじ開けを防止して、回路基板への不正行為を防ぐことができる遊技機用基板ボックスを提供することを目的としている。
【０００７】
【課題を解決するための手段】  この目的を達成するために請求項１記載の遊技機用基板ボックスは、遊技機の制御部品を搭載した回路基板を収容するために１面が開放されたボックスベースと、そのボックスベースの開放部分に覆設され、そのボックスベースとともに前記回路基板を被包するボックスカバーとを備え、前記ボックスベース又はボックスカバーの一方における１の縁部に略凹状に設けられる挿嵌凹部と、その挿嵌凹部に対向して前記ボックスベース又はボックスカバーの他方における１の縁部に略凸状に設けられると共に、その挿嵌凹部に所定長さ挿嵌される挿嵌凸部とを備えている。
【０００８】
この請求項１記載の遊技機用基板ボックスによれば、ボックスベースの開放部分から回路基板がボックスベース内に収容され、ボックスベースの開放部分にボックスカバーが覆設されると、ボックスベース及びボックスカバーにより回路基板が被包される。ここで、ボックスカバーがボックスベースに覆設される場合には、挿嵌凸部が挿嵌凹部へ所定長さ挿嵌される。よって、ボックスベース及びボックスカバーにおける１の縁部をこじ開けるために、薄板状の工具等が挿嵌凹部と挿嵌凸部との間に差し込まれたとしても、その工具等の先端は挿嵌凹部に挿嵌された挿嵌凸部に突き当たり、かかる差し込みが防止される。
請求項２記載の遊技機用基板ボックスは、請求項１記載の遊技機用基板ボックスにおいて、前記挿嵌凹部は前記ボックスベース又はボックスカバーの一方における縁部全周に設けられ、前記挿嵌凸部は前記ボックスベース又はボックスカバーの他方における縁部全周に立設されている。
請求項３記載の遊技機用基板ボックスは、請求項１又は２に記載の遊技機用基板ボックスにおいて、前記挿嵌凹部または挿嵌凸部は前記ボックスカバーにおける１の縁部に設けられており、その挿嵌凹部または挿嵌凸部の端面は、前記ボックスベースに収容される前記回路基板と当接され、その回路基板を前記ボックスベースとともに挟持するように構成されている。
請求項４記載の遊技機用基板ボックスは、請求項３記載の遊技機用基板ボックスにおいて、前記ボックスカバーを前記ボックスベースに連結して止着する止着部材を備え、その止着部材は、前記挿嵌凹部または挿嵌凸部の端面と当接される前記回路基板を前記ボックスカバーと共に前記ボックスベースに一括して止着するものである。
請求項５記載の遊技機用基板ボックスは、請求項１から４のいずれかに記載の遊技機用基板ボックスにおいて、前記挿嵌凹部の内面には、その挿嵌凹部の幅を前記挿嵌凸部の挿嵌方向へ漸減させる勾配面が設けられている。
請求項６記載の遊技機用基板ボックスは、請求項５記載の遊技機用基板ボックスにおいて、前記挿嵌凸部における前記勾配面との対向面は、その勾配面の傾斜方向と同方向に傾斜され、その挿嵌凸部が前記挿嵌凹部に挿嵌される場合に前記勾配面と当接可能に形成されている。
請求項７記載の遊技機用基板ボックスは、請求項１から６のいずれかに記載の遊技機用基板ボックスにおいて、前記挿嵌凸部が前記挿嵌凹部に挿嵌される場合に、その挿嵌凹部と前記挿嵌凸部の合わせ目は合决り又は実矧ぎ状に接合されている。
【０００９】
【発明の実施の形態】  以下、本発明の好ましい実施例について、添付図面を参照して説明する。図１は、本発明の遊技機用基板ボックスの一実施例である主制御基板ボックス１０が配設されたパチンコ機１の裏面図である。なお、図１中では、理解を容易にするため、主制御基板ボックス１０のボックスカバー１２の一部を部分的に断面視するとともに、主制御基板１３の部品面１３ａに搭載される各種電子部品の図示を省略している。
【００１０】
パチンコ機１は、いわゆる第１種パチンコ遊技機であり、矩形額縁状の枠状体である前面枠２の内周に遊技盤３が取着されている。遊技盤３の前面（図１の紙面に対する奥側）には球が打ち込まれる遊技領域が形成される一方、この遊技盤３の裏面側（図１の紙面に対する手前側）には機構盤４が配設されている。この機構盤４の略中央には、略矩形状の開口である開口窓４ａが設けられており、この開口窓４ａのほぼ全域には役物カバー５が覆設されている。
【００１１】
役物カバー５は、機構盤４の開口窓４ａから機構盤４の裏面側に露出される遊技盤３の裏面を覆い隠す部材であり、遊技盤３の裏面に取着されたカバー支持部材６により開閉可能に支持されている。機構盤４の裏面下部、即ち、役物カバー５が覆設された開口窓４ａの下縁部には、薄板鋼材等で形成された取付ベース７が配設されており、この取付ベース７には、主制御基板ボックス（以下、単に「基板ボックス」と称す。）１０が着脱可能に取着されている。
【００１２】
基板ボックス１０は、パチンコ機１の遊技内容全体の制御を行う主制御基板１３を被包して収容するものであり、透明な合成樹脂材料等で略中空箱状体に形成されている。基板ボックス１０は、主に、主制御基板１３を収容するボックスベース１１と、そのボックスベース１１に覆設され、そのボックスベース１１とともに主制御基板１３を被包するボックスカバー１２とを備えている。また、主制御基板１３の１面（図１の紙面に対する手前側）には、各種電子部品（制御部品）が搭載される部品面１３ａが設けられており、この部品面１３ａの反対面（図１の紙面に対する奥側）には各種電子部品が半田付けされる半田面１３ｂが設けられている。
【００１３】
図２は、機構盤４に配設された基板ボックス１０の拡大平面図（裏面図）であり、図中の矢印Ｚは、基板ボックス１０を取付ベース７に取り付ける際の基板ボックス１０のスライド移動方向（取付方向）を示している。なお、図２中では、理解を容易にするため、主制御基板ボックス１０のボックスカバー１２及び主制御基板１３の一部を部分的に断面視するとともに、主制御基板１３の部品面１３ａに搭載される各種電子部品の図示を省略している。
【００１４】
基板ボックス１０は、ボックスベース１１及びボックスカバー１２を互いに重ね合わせて合致（合体）させることにより、主制御基板１３を収容しつつ被包している。基板ボックス１０の左右両側面には、ボックスベース１１とボックスカバー１２と結合して基板ボックス１０を封印するボックス封印具２０が４個ずつ（計８個）配設されている。このボックス封印具２０によって、基板ボックス１０は開封不能に封印されるので、基板ボックス１０が不正に開封されて、主制御基板１３に搭載された電子部品を交換して遊技内容を変更する不正行為を防止することができる。なお、ボックス封印具２０の詳細については後述する。
【００１５】
ボックスベース１１は、主制御基板１３が設置される略矩形平板状の底板１１ａを備え、この底板１１ａは主制御基板１３の半田面１３ｂ（図２の紙面に対する奥側）と対向して設けられている。ここで、図３を参照して、ボックスベース１１について説明する。
【００１６】
図３は、ボックスベース１１の平面図であり、その中央部分の図示を一部省略している。図３に示すように、ボックスベース１１の底板１１ａは略矩形平板状に形成されており、この底板１１ａの４つの端辺にはそれぞれ略平板状の側壁板１１ｂ〜１１ｅが（図３の紙面に対する手前側へ）立設されている。これらの側壁板１１ｂ〜１１ｅの各端部は平面視ロ字状となるように連設されており、ボックスベース１１は、これら５枚の底板１１ａ、側壁板１１ｂ〜１１ｅにより１面に開放部分が設けられた略矩形椀状体に形成されている（図４参照）。
【００１７】
底板１１ａにおける側壁板１１ｂ側（図３上側）の縁部には、略板状のリブ１１ａ１が側壁板１１ｅと略平行に図３の紙面に対する手前側へ突出されており、底板１１ａにおける側壁板１１ｄ，１１ｅの連設部の隅には、平面視Ｌ字平板状のリブ１１ａ２が図３の紙面に対する手前側へ突出されている。また、底板１１ａの四隅には、略円柱状のボス部１１ａ３が１つずつ（計４つ）突出されており、この各ボス部１１ａ３の略中央には、ボックスベース１１にボックスカバー１２をねじ止めするビスＢがねじ込まれる円形状のねじ穴ｈが凹設されている。
【００１８】
これらのリブ１１ａ１，１１ａ２及び各ボス部１１ａ３は、ボックスベース１１内に主制御基板１３が収容される場合に、主制御基板１３の半田面１３ｂと当接して主制御基板１３を支持するものであり（図５参照）、主制御基板１３の半田面１３ｂと底板１１ａとの間に間隙を設けて、半田面１３ｂと底板１１ａとの接触を防止することができる。しかも、これらのリブ１１ａ１，１１ａ２及び各ボス部１１ａ３は、その突出高さが略等しい面一状にされており、主制御基板１３をボックスベース１１内でガタつかせずに支持することができるのである。
【００１９】
また、ボックスベース１１には、その側壁板１１ｃの外面の上下両端部および側壁板１１ｅの外面の上下両端部にそれぞれ略矩形平板状の係入リブ１１ｆが外方へ凸設されている。この４つの係入リブ１１ｆは、基板ボックス１０を取付ベース７に連結するための部位であり、取付ベース７の四隅に設けられる各係入フック７ａに係入可能に形成されている（図２及び図６参照）。
【００２０】
図２に戻って説明する。取付ベース７の四隅にはそれぞれ略コ字状（図６参照）に折り曲げ形成された係入フック７ａが設けられ、各係入フック７ａには、ボックスベース１１の各係入リブ１１ｆがそれぞれ係入されている。かかる係入によって、基板ボックス１０は、取付ベース７に着脱可能に取着されるのである。また、基板ボックス１０を取付ベース７に対して反矢印Ｚ方向へスライドさせることにより、各係入リブ１１ｆが各係入フック７ａから抜き外されるので、基板ボックス１０を取付ベース７から取り外すことができるのである。
【００２１】
ボックスカバー１２は、主制御基板１３の部品面１３ａ（図２の紙面に対する手前側）と対向してボックスベース１１に覆設される略矩形板状の天板１２ａを備えている。この天板１２ａの４つの端辺には、ボックスベース１１の各側壁板１１ｂ〜１１ｅに対応して、略平板状の側壁板１２ｂ〜１２ｅがボックスベース１１側（図２の紙面に対する奥側）へ向けてそれぞれ立設されている。これらの側壁板１２ｂ〜１２ｅの各端部は平面視ロ字状となるように連設されており、ボックスカバー１２は、これら５枚の天板１２ａ及び側壁板１２ｂ〜１２ｅにより、ボックスベース１１内に収容された主制御基板１３の部品面１３ａと対向する１面に開放部分が設けられた略矩形椀状体に形成されている（図４参照）。
【００２２】
天板１２ａの上縁部（図２上側）、即ち、天板１２ａの側壁板１２ｂ側の縁部には、その長手方向（図２の左右方向）のほぼ全域に亘って、略長方形状の配線凹部１２ｆが凹設されている。また、天板１２ａの右下縁部（図２右下側）、即ち、天板１２ａの側壁板１２ｄ側の縁部には略長方形状の配線凹部１２ｇが凹設されている。これらの配線凹部１２ｆ，１２ｇは、主制御基板１３に接続される配線コード（図示せず）が導出される部位であり、各配線凹部１２ｆ，１２ｇの奥側（図２の紙面に対する奥側）は略矩形平板状の覆設板１２ｆ１，１２ｇ１により塞がれている。
【００２３】
配線凹部１２ｆの覆設板１２ｆ１には複数（９個）の略長方形状のコネクタ口１２ｆ２が開口形成されており、この各コネクタ口１２ｆ２からは主制御基板１３の部品面１３ａに搭載された９個のコネクタ１３ｃがそれぞれ基板ボックス１０の外部に露出されている。一方、配線凹部１２ｇの覆設板１２ｇ１には１つの略長方形状のコネクタ口１２ｇ２が開口形成されており、このコネクタ口１２ｇ２からは主制御基板１３の部品面１３ａに搭載された１個のコネクタ１３ｄが基板ボックス１０の外部に露出されている。
【００２４】
これらの各コネクタ１３ｃ，１３ｄにそれぞれ配線コードを接続することによって、パチンコ機１に配設される他の電気部品、例えば、球の払い出しの制御を行う払出制御基板や、主制御基板１３に電力供給する電源回路基板などを主制御基板１３に接続することができる。しかも、主制御基板１３の部品面１３ａにおける各コネクタ１３ｃ，１３ｄの周囲は、覆設板１２ｆ１，１２ｇ１により覆われるので、配設凹部１２ｆ，１２ｇから主制御基板１３の部品面１３ａに接触する行為を防止することができる。
【００２５】
ボックスカバー１２の天板１２ａの四隅には略円形状の通穴１２ｈがそれぞれ穿設されている。この各通穴１２ｈは、ボックスカバー１２をボックスベース１１に固定するためのビスＢが挿入される穴であり、ボックスベース１１における各ボス部１１ａ３の各ねじ穴ｈに対応して穿設されている。この各通穴１２ｈ内にはビスＢがそれぞれ挿入されており、これらのビスＢはボックスベース１１の各ねじ穴ｈにそれぞれねじ込まれている（図５参照）。
【００２６】
図４は、基板ボックス１０の分解斜視図である。なお、図４では、理解を容易にするため、ボックスカバー１２を裏面から斜視するとともに、ボックスベース１１及びボックスカバー１２に配設されるボックス封印具２０、並びに、主制御基板１３の部品面１３ａ（図４上面）に搭載される各種電子部品の図示を省略している。
【００２７】
図４に示すように、ボックスベース１１における側壁板１１ｂの上縁部略中央には略凹字状に切り欠かれた切欠部１１ｇが形成されており、側壁板１１ｄにおける側壁板１１ｅ側（図４右側）の上縁部には略凹字状に切り欠かれた切欠部１１ｈが形成されている。また、各側壁板１１ｂ〜１１ｅの端面（切欠部１１ｇ，１１ｈの縁部分を含む）には略平板状の挿嵌凸部１１ｉが所定量（所定高さ）分だけ立設されている。この挿嵌凸部１１ｉは、ボックスベース１１におけるボックスカバー１２との合わせ目部分の全域に立設されている。
【００２８】
また、挿嵌凸部１１ｉの板厚は各側壁板１１ｂ〜１１ｅの板厚より小さく形成されており、この挿嵌凸部１１ｉ外周面と各側壁板１１ｂ〜１１ｅの外面との間には段部１１ｊが設けられている。この段部１１ｊは、ボックスカバー１２の外周に立設される各側壁板１２ｂ〜１２ｅに適合して形成されており、ボックスカバー１２がボックスベース１１に合致された場合に、ボックスカバー１２の各側壁板１２ｂ〜１２ｅの端面と当接される（図５及び図６参照）。
【００２９】
ボックスカバー１２の天板１２ａには、その外周の４つの端辺に上述した側壁板１２ｂ〜１２ｅが立設されている。側壁板１２ｂの略中央部分は、ボックスベース１１の切欠部１１ｇの形状に適合した略凸字状に形成されており、側壁板１２ｄの側壁板１２ｅ側（図４右側）部分は、ボックスカバー１２の切欠部１１ｈの形状に適合した略凸字状に形成されている。よって、ボックスカバー１２がボックスベース１１に合致された場合に、ボックスベース１１の各切欠部１１ｇ，１１ｈは、ボックスカバー１２の側壁板１２ｂ，１２ｄにおける略凸字状の部分が填め込まれることにより塞がれるのである。
【００３０】
また、天板１２ａの周囲には、各側壁板１２ｂ〜１２ｅの立設位置より内側に平面視略ロ字状の遮蔽壁板１２ｉが各側壁板１２ｂ〜１２ｅと同方向（図４上側）へ向けて立設されている。この遮蔽壁板１２ｉは、各側壁板１２ｂ〜１２ｅと所定の間隔を隔てて立設されており、この各側壁板１２ｂ〜１２ｅと遮蔽壁板１２ｉとの間には略凹状の挿嵌凹部１２ｊが凹設されている。
【００３１】
この挿嵌凹部１２ｊは、上述した挿嵌凸部１１ｉに対応してボックスカバー１２におけるボックスベース１１との合わせ目部分の全周に凹設され、挿嵌凸部１１ｉが挿嵌可能に形成されている。よって、ボックスカバー１２がボックスベース１１に合致された場合には、ボックスベース１１の挿嵌凸部１１ｉをボックスカバー１２の挿嵌凹部１２ｊに挿嵌することができるのである。
【００３２】
ところで、遮蔽壁板１２ｉは、その端面（図４上側）がほぼ面一状に形成されており、その遮蔽壁板１２ｉの内周には上述した配線凹部１２ｆ，１２ｇの覆設板１２ｆ１，１２ｇ１が連設されている。この覆設板１２ｆ１，１２ｇ１は遮蔽壁板１２ｉの端面とほぼ面一状に連設されており、これらの覆設板１２ｆ１，１２ｇ１及び遮蔽壁板１２ｉは、ボックスカバー１２がボックスベース１１に覆設された場合に、主制御基板１３の部品面１３ａの縁部分全周と当接可能に形成されている。
【００３３】
遮蔽壁板１２ｉの内周部分には、天板１２ａから覆設板１２ｆ１，１２ｇ１へ向けて仕切壁板１２ｋ，１２ｌが立設されている。各仕切壁板１２ｋ，１２ｌは、天板１２ａから略直角方向へ立設され、覆設板１２ｆ１，１２ｇ１の縁部を囲うように連設されている。この仕切壁板１２ｋ，１２ｌによって、天板１２ａと覆設板１２ｆ１，１２ｇ１との間部分が仕切られるので、基板ボックス１０内に主制御基板１３が収容された場合に、ボックスカバー１２の外部からの主制御基板１３への接触行為を防止することができる。
【００３４】
また、遮蔽壁板１２ｉにおける四隅の端面には、上述した４つの通穴１２ｈが天板１２ａ及び遮蔽壁板１２ｉを貫通してそれぞれ穿設されている。この各通穴１２ｈは、主制御基板１３の四隅に穿設された４つの通穴１３ｅに対応してそれぞれ穿設されている。
【００３５】
図５は、図２のＶ−Ｖ線における側断面図であり、図６は、図２のＶＩ−ＶＩ線における側断面図である。なお、図６では、その中央部分の図示を一部省略しており、また、図５及び図６中では、理解を容易にするため、主制御基板１３の部品面１３ａに搭載される各種電子部品の図示を省略している。
【００３６】
図５に示すように、取付ベース７は、主に、上述した４つの係入フック７ａが四隅に形成される略平板状の主板７ｂと、この主板７ｂに連設され機構盤４に取着される支持ステー７ｃとを備えている。主板７ｂの下端（図５下側）には略平板状の台板７ｄが一体的に形成され、これらの各板７ｂ，７ｄは側面視略Ｌ字状に連設されている。台板７ｄは、基板ボックス１０のボックスベース１１を支持する板材であり、ボックスベース１１の側壁板１１ｄの外面（図５下側）と当接されている。
【００３７】
ボックスベース１１における側壁板１１ｂ（図５上側）及び側壁板１１ｄ（図５下側）の端面（図５右側の面）には挿嵌凸部１１ｉがそれぞれ立設されている。この側壁板１１ｂの端面に立設された挿嵌凸部１１ｉは、ボックスカバー１２の側壁板１２ｂ及び遮蔽壁板１２ｉの間部分に凹設された挿嵌凹部１２ｊに挿嵌されており、側壁板１１ｄの端面に立設された挿嵌凸部１１ｉは、ボックスカバー１２の側壁板１２ｄ及び遮蔽壁板１２ｉの間部分に凹設された挿嵌凹部１２ｊに挿嵌されている。
【００３８】
一方、図６に示すように、ボックスベース１１における側壁板１１ｃ（図６左側）及び側壁板１１ｅ（図６右側）の端面（図６上側の面）には挿嵌凸部１１ｉがそれぞれ立設されている。側壁板１１ｃの（上側）端面に立設された挿嵌凸部１１ｉは、ボックスカバー１２の側壁板１２ｃ及び遮蔽壁板１２ｉの間部分に設けられた挿嵌凹部１２ｊに挿嵌されており、側壁板１１ｅの端面に立設された挿嵌凸部１１ｉは、ボックスカバー１２の側壁板１２ｅ及び遮蔽壁板１２ｉの間部分に設けられた挿嵌凹部１２ｊに挿嵌されている。
【００３９】
このように、図５及び図６に示す挿嵌凹部１２ｊに挿嵌された挿嵌凸部１１ｉは、挿嵌凹部１２ｊと合决り（あいじゃくり）状に接合されており、ボックスベース１１の段部１１ｊにはボックスカバー１２の側壁板１２ｂ〜１２ｅの端面が当接されている。かかる状態で、側壁板１１ｂ〜１１ｅの外面は側壁板１２ｂ〜１２ｅの外面と略面一状に合致されている。よって、ボックスベース１１とボックスカバー１２との合わせ目、即ち、側壁板１１ｂ〜１１ｅと側壁板１２ｂ〜１２ｅの当接部分に指などを引っ掛けることができず、基板ボックス１０をこじ開け難くすることができる。
【００４０】
また、挿嵌凹部１２ｊの内面、即ち、側壁板１２ｂ〜１２ｅにおける遮蔽壁板１２ｉとの対向面には、挿嵌凸部１１ｉの挿嵌方向（図５右側または図６上側）へ向けて傾斜された勾配面１２ｊ１が設けられている。この勾配面１２ｊ１は、挿嵌凸部１１ｉの挿嵌方向、即ち、挿嵌凹部１２ｊの奥行き方向へ向けて、挿嵌凹部１２ｊの溝幅を漸減するように傾斜されており、この勾配面１２ｊ１によって、挿嵌凹部１２ｊ内へ挿嵌される挿嵌凸部１１ｉを案内することができ、ボックスベース１１及びボックスカバー１２を容易に合致させることができる。
【００４１】
更に、挿嵌凸部１１ｉにおける勾配面１２ｊ１との対向面は、かかる勾配面１２ｊ１と同方向に傾斜されており、この勾配面１２ｊ１と当接されている。このように、挿嵌凸部１１ｉは挿嵌凹部１２ｊの勾配面１２ｊ１と当接されるので、挿嵌凸部１１ｉと勾配面１２ｊ１との間に隙間ができることがない。よって、このような隙間に薄板状の工具等を差し込んで基板ボックス１０をこじ開けることが防止され、基板ボックス１０に被包された主制御基板１３への不正行為を防止することができる。
【００４２】
また、主制御基板１３の半田面１３ｂ（図５左側または図６下側）には、ボックスベース１１のリブ１１ａ１，１１ａ２及び各ボス部１１ａ３が当接され、主制御基板１３の部品面１３ａ（図５右側または図６上側）の縁部分には、ボックスカバー１２の遮蔽壁板１２ｉ，覆設板１２ｆ１（及び、覆設板１２ｇ１）が当接されている。この当接によって、主制御基板１３は、ボックスベース１１とボックスカバー１２との間に挟持されており、かかる挟持によって主制御基板１３を基板ボックス１０内にガタつかせることなく収容することができる。
【００４３】
更に、ボックスカバー１２は、その天板１２ａに穿設された４つの通穴１２ｈにビスＢがそれぞれ挿入されており、この各ビスＢは、主制御基板１３の通穴１３ｅに通されてボックスベース１１の各ボス部１１ａ３のねじ穴ｈにねじ込まれている。この各ビスＢによって、ボックスカバー１２がボックスベース１１に固定（止着）されると共に、主制御基板１３がボックスベース１１とボックスカバー１２との間に共締めされている。
【００４４】
よって、主制御基板１３をボックスベース１１内に固定する場合には、ボックスカバー１２及び主制御基板１３を一括してボックスベースに固定できるので、主制御基板１３をボックスカバー１２と別個にビス等で固定する必要がなく、基板ボックス１０の組立作業を簡素化することができる。
【００４５】
図６に示すように、ボックス封印具２０は、主に、ボックスベース１１に配設される封印部材２１と、ボックスカバー１２に配設される封印部材２２と、その封印部材２１，２２を連結する封印金具２３とを備えている。ボックスベース１１における側壁板１１ｃ，１１ｅの外面には略中空角柱状の封印部材２１が一体的に配設され、ボックスカバー１２における側壁板１２ｃ，１２ｅの外面には封印部材２１に対応して封印部材２２が一体的に配設されている。
【００４６】
封印部材２１は、封印部材２２との対向面（図６上側）に封印金具２３の板部２３ａが挿入される挿入穴２１ａが穿設されている。また、封印部材２１の内部には、挿入穴２１ａと連通する内部空間２１ｂが設けられており、この内部空間２１ｂの上部には封印金具２３の係止爪２３ｃが係止される係止面２１ｃが設けられている。
【００４７】
封印部材２２は、その上端面に（図６上側）に封印金具２３の略リング状の頭部２３ｂが係合される係合穴２２ａが凹設されており、この係合穴２２ａには封印部材２２の下端面へと貫通する挿入穴２２ｂと連通されている。挿入穴２２ｂは、封印金具２３の板部２３ａが挿入される穴であり、封印部材２１の挿入穴２１ａと連通されている。
【００４８】
封印金具２３は、一対の封印部材２１，２２を連結する部材であり、主に、略平板状に形成された板部２３ａと、その板部２３ａの一端側（図６上側）に略リング状に形成される頭部２３ｂと、板部２３ａの長手方向（図６上下方向）略中央から外方へ向けて略く字状に延出される係止爪２３ｃとを備えている。
【００４９】
また、封印部材２１の外面には、封印金具２３と同一種類の予備用封印金具２４を保持するために平面視略Ｃ字状（図３参照）の保持部２１ｄが設けられ、この保持部２１ｄには予備用封印金具２４の頭部２３ａが引っ掛けられている。また、この予備用封印金具２４は、封印部材２２の外面に設けられたカバー壁２２ｃにより覆われており、保持部２１ｄから外れ落ちることが防止されている。尚、予備用封印金具２４は、封印金具２３と同一種類の部材であるので、その各部位には封印金具２３と同一の符号を付し、その説明を省略する。
【００５０】
次に、上記のように構成された基板ボックス１０への主制御基板１３の収容方法について説明する。まず、図３に示すように、主制御基板１３は、その半田面１３ｂがボックスベース１１の底板１１ａと対向した状態で、ボックスベース１１の開放部分から底板１１ａ上に設置され、ボックスベース１１内に収容される。ボックスベース１１に収容された主制御基板１３は、その半田面１３ｂがリブ１１ａ１，１１ａ２及び４つのボス部１１ａ３の突出側の端面と当接され、ボックスベース１１内に底板１１ａと間隔を隔てつつ支持される。
【００５１】
このように主制御基板１３を収容したボックスベース１１には、ボックスカバー１２が覆設される。ボックスカバー１２を覆設する場合には、そのボックスカバー１２における遮蔽壁板１２ｉの立設面、即ち、ボックスカバー１２の開放部分を主制御基板１３の部品面１３ａに向けた状態で、ボックスベース１１に合致される。この合致により、ボックスカバー１２がボックスベース１１に覆設され、主制御基板１３が基板ボックス１０内に被包されつつ収容される。
【００５２】
ボックスカバー１２の覆設により、ボックスベース１１の各側壁板１１ｂ〜１１ｅに立設された挿嵌凸部１１ｉがボックスカバー１２の各側壁板１２ｂ〜１２ｅと遮蔽壁板１２ｉとの間に凹設された挿嵌凹部１２ｊに挿嵌される。一方、ボックスカバー１２の覆設により、ボックスカバー１２の遮蔽壁板１２ｉ、覆設板１２ｆ１，１２ｇ１が当接され、この当接によって、主制御基板１３がボックスベース１１とボックスカバー１２との間に挟持される。
【００５３】
その後、ボックスカバー１２における４つの通穴１２ｈにそれぞれビスＢが挿入され、この各ビスＢが主制御基板１３の通穴１３ｄｅに通されてボックスベース１１の各ボス部１１ａ３のねじ穴ｈにそれぞれねじ込まれると、ボックスカバー１２がボックスベース１１に固定されると共に、主制御基板１３がボックスベース１１とボックスカバー１２との間に共締めされる。
【００５４】
この各ビスＢのねじ込み後、ボックス封印具２０によって、基板ボックス１０が封印される。具体的には、ボックスベース１１とボックスカバー１２とが合致されると、封印部材２１，２２が対向しつつ当接される。封印部材２１，２２の当接後、図２に示すボックスカバー１２における側壁板１１ｃの最も上側に配設された封印部材２２の係合穴２２ａと、側壁板１１ｅの最も下側に配設された封印部材２２の係合穴２２ａとに、封印金具２３がそれぞれ挿入される。
【００５５】
この係合穴２２ａへ挿入された封印金具２３は、挿入穴２２ｂを通って封印部材２１の挿入穴２１ａに挿入される。その後、封印金具２３の挿入を更に続行すると、封印金具２３の係止爪２３ｃが封印部材２１の内部空間２１ｂに到達し、図６に示すように、その係止爪２３ｃが係止面２１ｃに引っ掛かり係止されるとともに、封印金具２３の頭部２３ｂが封印部材２２の係合穴２２ａ内に係合される。この結果、封印金具２３が封印部材２１，２２内から抜き取り不可能な状態となり、かかる封印金具２３によって、封印部材２１と封印部材２２とが連結される。この連結により、ボックスベース１１とボックスカバー１２とが結合されて、基板ボックス１０が封印されるのである。
【００５６】
以上説明したように、本実施例の基板ボックス１０によれば、ボックスベース１１には、ボックスカバー１２との合わせ目部分の全周に挿嵌凸部１１ｉが立設される一方、ボックスカバー１２には、ボックスベース１１との合わせ目部分の全周に挿嵌凸部１１ｉが挿嵌可能な挿嵌凹部１２ｊが凹設されている。よって、ボックスカバー１２がボックスベース１１の開放部分に覆設される場合には、ボックスベース１１の挿嵌凸部１１ｉをボックスカバー１２の挿嵌凹部１２ｊに挿嵌させることができる。従って、例えば、ボックスベース１１及びボックスカバー１２の合わせ目、即ち、側壁板１１ｂ〜１１ｅと側壁板１２ｂ〜１２ｅとの接合面間に薄板状の工具等を差し込み、基板ボックス１０をこじ開けようとしても、薄板状の工具等の先端部分が挿嵌凸部１１ｉに突き当たるので、その差し込みを防止することができる。
【００５７】
しかも、側壁板１１ｂ〜１１ｅが基板ボックス１０の内方へ押し付けられ、ボックスベース１１の挿嵌凸部１１ｉとボックスカバー１２の側壁板１２ｂ〜１２ｅとの間に隙間が生じ、かかる隙間から薄板状の工具等が差し込まれたとしても、その薄板状の工具等の先端部分は天板１２ａや遮蔽壁板１２ｉに突き当たるので、薄板状の工具等がそれ以上差し込まれることがない。このように、基板ボックス１０によれば、薄板状の工具等が差し込まれなどしてボックスベース１１及びボックスカバー１２がこじ開けられるのことが防止されるので、基板ボックス１０に収容された主制御基板１３からＲＯＭ等を取り外して交換し、パチンコ機１の遊技内容を不正に変更する不正行為を防止することができるのである。
【００５８】
また、遮蔽壁板１２ｉは、天板１２ａから主制御基板１３の部品面１３ａの縁部分に当接するように立設されているので、薄板状の工具等が遮蔽壁板１２ｉを越えて主制御基板１３の部品面１３ａに接触することがない。よって、主制御基板１３の部品面１３ａに設けられる回路パターンなどの信号線が薄板状の工具等の先端で削られて遊技内容が変更される不正行為を更に防止することができるのである。
【００５９】
以上、実施例に基づき本発明を説明したが、本発明は上記実施例に何ら限定されるものではなく、本発明の趣旨を逸脱しない範囲内で種々の改良変形が可能であることは容易に推察することができるものである。
【００６０】
例えば、本実施例におけるボックスベース１１とボックスカバー１２との合わせ目は、挿嵌凸部１１ｉを挿嵌凹部１２ｊに挿嵌することにより接合されたが、この合わせ目の接合は必ずしもこれに限られるものではなく、かかる合わせ目をラビリンス構造状に接合しても良い。例えば、ボックスベースにおける側壁板の端面内側から外側へ並列状に複数立設される挿嵌凸部と、ボックスカバーにおける側壁板の端面内側から外側へ並列状に複数凹設される挿嵌凹部とを設け、その複数の挿嵌凹部に複数の挿嵌凸部を挿嵌するように構成しても良い。
【００６１】
また、本実施例では、ボックスベース１１の各側壁板１１ｂ〜１１ｅに挿嵌凸部１１ｉを立設し、ボックスカバー１２の各側壁板１２ｂ〜１２ｅに挿嵌凹部１２ｊを凹設したが、例えば、ボックスベース１１におけるボックスカバー１２との合わせ目部分の全周に挿嵌凹部を凹設し、ボックスカバー１２におけるボックスベース１１との合わせ目部分の全周に挿嵌凸部を立設しても良い。
【００６２】
更に、本実施例では、側壁板１１ｂ〜１１ｅと側壁板１２ｂ〜１２ｅとの接合部分を合决り状に接合したが、かかる接合部分の合わせ目の形状は、必ずしもこれに限られるものではなく、例えば、斜め矧ぎ（ななめはぎ）、本実矧ぎ（ほんざねはぎ）、相互矧ぎ（そうごはぎ）又は矢はず矧ぎ（やはずはぎ）などの板矧ぎ（いたはぎ）形状に構成しても良い。即ち、挿嵌凸部が挿嵌凹部に挿嵌され合致される場合に、かかる両者が凹凸状に接合される形状であれば良い。
【００６３】
本実施例では、主制御基板１３を収容する基板ボックス１０に本発明を適用したが、遊技機に配設される他の回路基板、例えば、球の払い出しの制御を行う払い出し制御基板などを収容する基板ボックスに本発明を適用しても良い。
【００６４】
なお、以下に本発明の変形例を示す。請求項１記載の遊技機用基板ボックスにおいて、前記挿嵌凹部は前記ボックスベース又はボックスカバーの一方における縁部全周に設けられ、前記挿嵌凸部は前記ボックスベース又はボックスカバーの他方における縁部全周に立設されていることを特徴とする遊技機用基板ボックス１。
【００６５】
請求項１記載の遊技機用基板ボックス、又は、遊技機用基板ボックス１において、前記挿嵌凹部または挿嵌凸部は前記ボックスカバーにおける１の縁部に設けられており、その挿嵌凹部または挿嵌凸部の端面は、前記ボックスベースに収容される前記回路基板と当接され、その回路基板を前記ボックスベースとともに挟持するように構成されていることを特徴とする遊技機用基板ボックス２。よって、ボックスベース及びボックスカバーにより被包される回路基板は、ボックスベース及びボックスカバーの間に挟持されるので、かかる回路基板が遊技機用基板ボックス内でガタつくことを防止することができる。
【００６６】
遊技機用基板ボックス２において、前記ボックスカバーを前記ボックスベースに連結して止着する止着部材を備え、その止着部材は、前記挿嵌凹部または挿嵌凸部の端面と当接される前記回路基板を前記ボックスカバーと共に前記ボックスベースに一括して止着するものであることを特徴とする遊技機用基板ボックス３。よって、回路基板をボックスベースに止着する場合、回路基板は、止着部材によりボックスカバーとともにボックスベースに一括して止着されるので、回路基板をボックスカバーと別個にボックスベースに止着する必要がなく、遊技機用基板ボックスの組立作業を簡素化することができる。
【００６７】
請求項１記載の遊技機用基板ボックス、又は、遊技機用基板ボックス１から３のいずれかにおいて、前記挿嵌凹部の内面には、その挿嵌凹部の幅を前記挿嵌凸部の挿嵌方向へ漸減させる勾配面が設けられていることを特徴とする遊技機用基板ボックス４。よって、挿嵌凹部へ挿嵌される挿嵌凸部は勾配面により案内されつつ挿嵌されるので、ボックスカバーをボックスベースに覆設する場合に挿嵌凸部の挿嵌を容易に行うことができる。
【００６８】
遊技機用基板ボックス４において、前記挿嵌凸部における前記勾配面との対向面は、その勾配面の傾斜方向と同方向に傾斜され、その挿嵌凸部が前記挿嵌凹部に挿嵌される場合に前記勾配面と当接可能に形成されていることを特徴とする遊技機用基板ボックス５。このように、挿嵌凸部における勾配面との対向面は、挿嵌凹部の勾配面と当接されるので、挿嵌凸部と勾配面との間に隙間ができることがない。よって、このような隙間に薄板状の工具等を差し込んで遊技機用基板ボックスをこじ開ける不正行為を防止することができる。
【００６９】
請求項１記載の遊技機用基板ボックス、又は、遊技機用基板ボックス１から５のいずれかにおいて、前記挿嵌凸部が前記挿嵌凹部に挿嵌される場合に、その挿嵌凹部と前記挿嵌凸部の合わせ目は合决り又は実矧ぎ状に接合されていることを特徴とする遊技機用基板ボックス６。
【００７０】
【発明の効果】  本発明の遊技機用基板ボックスによれば、ボックスカバーがボックスベースの開放部分に覆設される場合、ボックスベース又はボックスカバーの一方における１の縁部に設けられた挿嵌凹部には、ボックスベース又はボックスカバーの他方における１の縁部に設けられた挿嵌凸部が所定長さ挿嵌される。よって、ボックスベース及びボックスカバーにおける１の縁部をこじ開けるために、薄板状の工具等が挿嵌凹部と挿嵌凸部との間に差し込まれたとしても、その工具等の先端は挿嵌凹部に挿嵌された挿嵌凸部に突き当たるので、薄板状の工具等の差し込みを防止することができる。この差し込みの防止によりボックスベース及びボックスカバーのこじ開けが防止されるので、こじ開けられた遊技機用基板ボックスの隙間から薄板状の工具や針金等を差し込んで回路基板に不正な加工を施し、遊技機の遊技内容を変更する不正行為を防止することができるという効果がある。
【００７１】
挿嵌凹部または挿嵌凸部はボックスカバーにおける１の縁部に設けられており、その挿嵌凹部または挿嵌凸部の端面は、ボックスベースに収容される回路基板と当接され、その回路基板をボックスベースとともに挟持するように構成されている。よって、ボックスベース及びボックスカバーにより被包される回路基板は、ボックスベース及びボックスカバーの間に挟持されるので、かかる回路基板が遊技機用基板ボックス内でガタつくことを防止することができるという効果がある。
【００７２】
ボックスカバーをボックスベースに連結して止着する止着部材は、挿嵌凹部または挿嵌凸部の端面と当接される回路基板をボックスカバーと共にボックスベースに一括して止着する。よって、回路基板をボックスベースに止着する場合、回路基板は、止着部材によりボックスカバーと共にボックスベースに一括して止着されるので、回路基板をボックスカバーと別個にボックスベースに止着する必要がなく、遊技機用基板ボックスの組立作業を簡素化することができるという効果がある。
【００７３】
挿嵌凹部の内面には、その挿嵌凹部の幅を挿嵌凸部の挿嵌方向へ漸減させる勾配面が設けられている。よって、挿嵌凹部へ挿嵌される挿嵌凸部は勾配面により案内されつつ挿嵌されるので、ボックスカバーをボックスベースに覆設する場合に挿嵌凸部の挿嵌を容易に行うことができるという効果がある。
【００７４】
挿嵌凸部における勾配面との対向面は、その勾配面の傾斜方向と同方向に傾斜され、その挿嵌凸部が挿嵌凹部に挿嵌される場合に勾配面と当接可能に形成されている。このように、挿嵌凸部における勾配面との対向面は、挿嵌凹部の勾配面と当接されるので、挿嵌凸部と勾配面との間に隙間ができることがない。よって、かかる隙間に薄板状の工具等を差し込んで遊技機用基板ボックスをこじ開ける不正行為を防止することができるという効果がある。
【図面の簡単な説明】
【図１】  本発明の一実施例である主制御基板ボックスが配設されたパチンコ機の裏面図である。
【図２】  機構盤に配設された基板ボックスの拡大平面図である。
【図３】  ボックスベースの平面図である。
【図４】  基板ボックスの分解斜視図である。
【図５】  図２のＶ−Ｖ線における側断面図である。
【図６】  図２のＶＩ−ＶＩ線における側断面図である。
【符号の説明】
１                    パチンコ機（遊技機）
１０                  主制御基板ボックス（遊技機用基板ボックス）
１１                  ボックスベース
１１ｂ〜１１ｅ        側壁板（ボックスベースの縁部の一部）
１１ｇ，１１ｈ        切欠部（ボックスベースの縁部の一部）
１１ｉ                挿嵌凸部
１２                  ボックスカバー
１２ｂ〜１２ｅ        側壁板（ボックスカバーの縁部の一部）
１２ｉ                遮蔽壁板（ボックスカバーの縁部の一部）
１２ｊ                挿嵌凹部
１２ｊ１              勾配面
１２ｆ１，１２ｇ１    覆設板（ボックスカバーの縁部の一部）
１２ｋ，１２ｌ        仕切壁板（ボックスカバーの縁部の一部）
１３                  主制御基板（回路基板）
２０                  ボックス封印具（止着部材の一部）
Ｂ                    ビス（止着部材の一部）